(57)【要約】【課題】外部調光端子への信号入力態様の如何に関わらず、調光制御時のちらつきを効果的に低減することができるＬＥＤ駆動回路を提供すること。【解決手段】外部調光端子６から入力される調光信号の種別を判定する信号判定回路２０、入力された信号のノイズ成分を除去するフィルタ回路１６、信号判定回路２０の判定結果に基づいてフィルタ回路１６の機能の有効／無効を切り替えるフィルタ機能切替手段および、フィルタ回路１６を通過させた調光信号と基準信号とを比較し、その比較結果に基づく信号をＬＥＤ調光用のバースト信号として出力するコンパレータ回路１８を備える。【選択図】        図１
2011023207.tif 000002
【特許請求の範囲】
【請求項１】
ＬＥＤを発光駆動するＬＥＤ駆動回路において、
外部調光端子から入力される調光信号の種別を判定する信号判定回路と、
入力された信号のノイズ成分を除去するフィルタ回路と、
前記信号判定回路の判定結果に基づいて前記フィルタ回路の機能の有効／無効を切り替えるフィルタ機能切替手段と、
前記フィルタ回路を通過させた前記調光信号と基準信号とを比較し、その比較結果に基づく信号を前記ＬＥＤ調光用のバースト信号として出力するコンパレータ回路と、
を備えたことを特徴とするＬＥＤ駆動回路。
【請求項２】
前記フィルタ機能切替手段は、
前記調光信号の種別がＤＣ信号と判定された場合には前記フィルタ回路の機能を有効に制御し、
前記調光信号の種別がＰＷＭ信号と判定された場合には前記フィルタ回路の機能を無効に制御する
ことを特徴とする請求項１に記載のＬＥＤ駆動回路。
【請求項３】
三角波信号を生成する三角波信号生成回路を備え、
前記三角波信号生成回路は、生成した三角波信号を前記基準信号として前記コンパレータ回路に出力することを特徴とする請求項１または２に記載のＬＥＤ駆動回路。
【請求項４】
三角波信号およびＤＣ信号を生成する三角波・ＤＣ信号生成回路を備え、
前記三角波・ＤＣ信号生成回路は、前記信号判定回路の判定結果に基づいて、前記三角波信号または前記ＤＣ信号の何れか一方を前記基準信号として前記コンパレータ回路に出力することを特徴とする請求項１または２に記載のＬＥＤ駆動回路。
【請求項５】
前記三角波・ＤＣ信号生成回路は、
前記外部調光端子に入力される調光信号がＤＣ信号の場合には三角波信号を出力し、
前記外部調光端子に入力される調光信号がＰＷＭ信号の場合にはＤＣ信号を出力する
ことを特徴とする請求項４に記載のＬＥＤ駆動回路。
【請求項６】
直流電圧または交流電圧を電源入力として前記ＬＥＤに印加する直流電圧を生成すると共に、前記調光信号に基づいて前記ＬＥＤを定電流駆動するコンバータをさらに備えたことを特徴とする請求項１〜５の何れか１項に記載のＬＥＤ駆動回路。
【請求項７】
前記外部調光端子に可変抵抗素子が接続されるとき、この可変抵抗素子の抵抗値を変更することにより前記フィルタ回路の入力端に可変ＤＣ電圧を印加するよう動作するバイアス回路をさらに備えたことを特徴とする請求項１〜６の何れか１項に記載のＬＥＤ駆動回路。
【発明の詳細な説明】
【技術分野】
【０００１】
本発明は、発光ダイオード（Light Emitting Diode：以下「ＬＥＤ」と表記）を発光駆動するＬＥＤ駆動回路に関する。
【背景技術】
【０００２】
従来、コンピュータ用の液晶ディスプレイや、液晶テレビのバックライトとして、冷陰極蛍光ランプなどの放電灯が用いられている。一方、最近では、低消費電力・長寿命・小型という特徴を有しているＬＥＤが注目されており、光源としての放電灯をＬＥＤに代替することが行われる。
【０００３】
なお、放電灯に対する調光制御を行う従来技術としては、例えば下記特許文献１に示されたものがある。この特許文献１では、駆動回路の動作を停止させるＯＦＦ機能を有する一方で、ＯＦＦ機能を必要としない場合には、このＯＦＦ機能を無効に設定する機能が付加されており、この有効／無効の設定を調光信号であるＰＷＭ（Pulse Width Modulation）信号のデューティ比に基づいて切り替えるようにした放電灯点灯装置を開示している。
【先行技術文献】
【特許文献】
【０００４】
【特許文献１】特開２００５−２１６８４２号公報
【発明の概要】
【発明が解決しようとする課題】
【０００５】
ところで、ＬＥＤを発光駆動するＬＥＤ駆動回路を構成する場合、ＬＥＤの発光を制御する調光信号は、外部から供給される場合もある。この場合、調光信号は、ＬＥＤ駆動回路の提供先メーカ側で準備することになり、ＬＥＤ駆動回路には、外部調光端子と称される信号入力端子を設けることが行われる。
【０００６】
また、ＬＥＤの発光を制御する調光信号として、上述のようなＰＷＭ信号を入力する仕様のものもあれば、ＤＣ信号を入力する仕様のものもある。ＤＣ信号を入力する仕様の場合、外部調光端子に入力するＤＣ信号のレベルに応じて、発光量の制御が行われるが、このＤＣ信号は提供先メーカ側で準備することが通常である。
【０００７】
一方、外部調光端子にＤＣ信号を入力する仕様の場合、ＤＣ信号のレベル調整するレベル調整機能を提供先メーカで準備する必要があるので、提供先メーカの負担が増加する。このため、提供先メーカでは可変抵抗素子のみを準備し、この可変抵抗素子を外部調光端子に接続することで調光制御を行う仕様のＬＥＤ駆動回路もある。
【０００８】
すなわち、最近のＬＥＤ駆動回路では、外部調光端子にＤＣ信号およびＰＷＭ信号が入力される場合、あるいは外部調光端子に可変抵抗素子が接続される場合など、少なくとも３種類の信号入力態様がある。したがって、ＬＥＤ駆動回路の提供元メーカでは、これらの多様な信号入力態様に対応可能なＬＥＤ駆動回路を準備する必要がある。
【０００９】
一方、ＬＥＤ駆動回路であることから、調光制御時のちらつきを抑えることは、信号入力態様の如何に関わらず、克服しなければならない従来からの技術課題である。この技術課題に対し、個々の信号入力態様毎に個別に対応する回路部を単純に準備するのでは、回路規模が増大してしまうので好ましくない。
【００１０】
本発明は、上記に鑑みてなされたものであって、多様な調光信号が入力されるＬＥＤ駆動回路において、回路規模の増大を抑制しつつ、調光制御時のちらつきを低減することができるＬＥＤ駆動回路を提供することを目的とする。
【課題を解決するための手段】
【００１１】
上述した課題を解決し、目的を達成するため、本発明にかかるＬＥＤ駆動回路は、ＬＥＤを発光駆動するＬＥＤ駆動回路において、外部調光端子から入力される調光信号の種別を判定する信号判定回路と、入力された信号のノイズ成分を除去するフィルタ回路と、前記信号判定回路の判定結果に基づいて前記フィルタ回路の機能の有効／無効を切り替えるフィルタ機能切替手段と、前記フィルタ回路を通過させた前記調光信号と基準信号とを比較し、その比較結果に基づく信号を前記ＬＥＤ調光用のバースト信号として出力するコンパレータ回路と、を備えたことを特徴とする。
【００１２】
本発明によれば、外部調光端子から入力される調光信号の種別を判定し、その判定結果に基づいてフィルタ回路機能の有効／無効を切り替える構成としたので、個々の調光信号毎に個別に対応する回路部を設ける必要がない。このため、回路規模の増大を抑制しつつ、調光制御時のちらつきを低減することができるＬＥＤ駆動回路を提供することができる。
【００１３】
また、本発明にかかるＬＥＤ駆動回路は、前記フィルタ機能切替手段は、前記調光信号の種別がＤＣ信号と判定された場合には前記フィルタ回路の機能を有効に制御し、前記調光信号の種別がＰＷＭ信号と判定された場合には前記フィルタ回路の機能を無効に制御することを特徴とする。
【００１４】
本発明によれば、外部調光端子から入力される調光信号の特性に応じて生ずるジッタを抑制することができる。
【００１５】
また、本発明にかかるＬＥＤ駆動回路は、三角波信号を生成する三角波信号生成回路を備え、前記三角波信号生成回路は、生成した三角波信号を前記基準信号として前記コンパレータ回路に出力することを特徴とする。
【００１６】
本発明によれば、コンパレータ回路への基準信号として三角波信号のみを出力すればよいので、より簡易な回路構成とすることができる。
【００１７】
また、本発明にかかるＬＥＤ駆動回路は、三角波信号およびＤＣ信号を生成する三角波・ＤＣ信号生成回路を備え、前記三角波・ＤＣ信号生成回路は、前記信号判定回路の判定結果に基づいて、前記三角波信号または前記ＤＣ信号の何れか一方を前記基準信号として前記コンパレータ回路に出力することを特徴とする。
【００１８】
本発明によれば、外部調光端子から入力される調光信号の特性に応じた好適な基準信号をコンパレータ回路に出力することができる。
【００１９】
また、本発明にかかるＬＥＤ駆動回路は、前記三角波・ＤＣ信号生成回路は、前記外部調光端子に入力される調光信号がＤＣ信号の場合には三角波信号を出力し、前記外部調光端子に入力される調光信号がＰＷＭ信号の場合にはＤＣ信号を出力することを特徴とする。
【００２０】
外部調光端子に入力される調光信号がＰＷＭ信号の場合、コンパレータ回路に到達するまでの間に信号波形が鈍る場合がある。この場合、基準信号を三角波信号とすると、入力調光信号（ＰＷＭ信号）のデューティ比と、コンパレータ回路から出力されるＬＥＤ調光用バースト信号のデューティ比とが微妙に食い違うことがある。一方、本発明によれば、外部調光端子に入力される調光信号がＰＷＭ信号の場合には基準信号としてＤＣ信号を出力するようにしているので、入力調光信号に忠実なＬＥＤ調光用バースト信号を出力することができる。
【００２１】
また、本発明にかかるＬＥＤ駆動回路は、直流電圧または交流電圧を電源入力として前記ＬＥＤに印加する直流電圧を生成すると共に、前記調光信号に基づいて前記ＬＥＤを定電流駆動するコンバータをさらに備えたことを特徴とする。
【００２２】
本発明によれば、ＬＥＤを定電流駆動することが可能となる。また、本発明において、コンバータを昇圧コンバータとすれば、入力電圧を昇圧することができるので、入力電圧がＬＥＤへの印加電圧よりも低い場合であっても、ＬＥＤに対する調光制御が可能となる。また、本発明において、コンバータをＡＣ／ＤＣコンバータとすれば、入力電源が交流電源の場合にも対応可能である。
【００２３】
また、本発明にかかるＬＥＤ駆動回路は、前記外部調光端子に可変抵抗素子が接続されるとき、この可変抵抗素子の抵抗値を変更することにより前記フィルタ回路の入力端に可変ＤＣ電圧を印加するよう動作するバイアス回路をさらに備えたことを特徴とする。
【００２４】
本発明によれば、外部調光端子にＤＣ信号およびＰＷＭ信号が入力される信号入力態様に加え、外部調光端子に可変抵抗素子が接続される信号入力態様にも対応することが可能である。すなわち、本発明は、多様な信号入力態様に対応可能なＬＥＤ駆動回路を提供することができる。
【発明の効果】
【００２５】
本発明にかかるＬＥＤ駆動回路によれば、多様な調光信号が入力されるＬＥＤ駆動回路において、回路規模の増大を抑制しつつ、調光制御時のちらつきを低減することができるという効果が得られる。
【図面の簡単な説明】
【００２６】
【図１】図１は、本発明の実施の形態１にかかるＬＥＤ駆動回路の機能構成を示す図である。
【図２】図２は、フィルタ回路をキャパシタで構成したときのキャパシタ容量とジッタ時間幅との関係を示すグラフである。
【図３】図３は、図１に示したＬＥＤ駆動回路の機能を具現する実施の形態１の回路構成の一例を示す図である。
【図４】図４は、入力調光信号がＰＷＭ信号の場合に三角波信号を基準信号として生成したバースト信号を示す図である。
【図５】図５は、図１に示したＬＥＤ駆動回路の機能を具現する実施の形態２の回路構成の一例を示す図である。
【図６】図６は、本発明の実施の形態３にかかるＬＥＤ駆動回路の機能構成を示す図である。
【図７】図７は、図５に示したＬＥＤ駆動回路の機能を具現する実施の形態３の回路構成の一例を示す図である。
【図８】図８は、外部調光端子に可変抵抗素子が接続される信号入力態様を説明する図である。
【発明を実施するための形態】
【００２７】
以下に添付図面を参照して、本発明の実施の形態にかかるＬＥＤ駆動回路を詳細に説明する。なお、以下に示す実施の形態により本発明が限定されるものではない。
【００２８】
実施の形態１．
図１は、本発明の実施の形態１にかかるＬＥＤ駆動回路の機能構成を示す図である。実施の形態１にかかるＬＥＤ駆動回路は、図１に示すように、フィルタ回路１６、コンパレータ回路１８、信号判定回路２０、三角波信号生成回路２６ａ、ＤＣ信号生成回路２６ｂおよび信号切替手段２６ｃを備えて構成される。
【００２９】
つぎに、図１に示した実施の形態１におけるＬＥＤ駆動回路の動作について説明する。外部調光端子６には、上述したＰＷＭ信号やＤＣ信号などが入力される。この調光信号は、フィルタ回路１６および信号判定回路２０に入力される。信号判定回路２０は、入力された調光信号の種別、すなわち調光信号がＰＷＭ信号であるのか、ＤＣ信号であるのかを判定する。フィルタ回路１６は、入力された調光信号のノイズ成分（リプル・ノイズ）を除去する機能を有する。この機能は、信号判定回路２０の出力に基づいて切り替えられるが、具体的には、つぎのとおり切替制御される。
【００３０】
まず、外部調光端子６から入力される調光信号がＤＣ信号の場合には、フィルタ回路１６の機能が有効（ＯＮ）となるように制御される。一方、外部調光端子６から入力される調光信号がＰＷＭ信号の場合には、フィルタ回路１６の機能が無効（ＯＦＦ）となるように制御される。
【００３１】
外部調光端子６にＤＣ信号が入力される場合、外部調光端子６とコンパレータ回路１８とを結ぶ信号ラインにリプル・ノイズが重畳することが多々あった。従来のＬＥＤ駆動回路では、このリプル・ノイズの影響を受け、コンパレータ回路の出力（バースト信号出力）にジッタが発生するという問題があった。そこで、実施の形態１のＬＥＤ駆動回路では、このリプル・ノイズの影響を抑制するため、外部調光端子６とコンパレータ回路１８との間の任意の箇所にフィルタ回路１６を挿入することとしている。なお、フィルタ回路１６を挿入すると、リプル・ノイズの影響が抑制されるので、バースト信号出力のジッタが低減する。
【００３２】
図２は、フィルタ回路１６をキャパシタで構成したときのキャパシタ容量とジッタ時間幅との関係を示すグラフである。図２において、黒菱形印でプロットした曲線Ｋ１は、調光信号がＤＣ信号の場合であり、黒四角印でプロットした曲線Ｋ２は、調光信号がＰＷＭ信号の場合を表している。なお、キャパシタ容量を増加させることは、フィルタ回路１６をより有効に作用させることと等価である。
【００３３】
図２に示されるように、フィルタ回路１６は、キャパシタ容量を増加させるほどＤＣ信号に対してはプラスに作用するが、ＰＷＭ信号に対してはマイナスに作用する。そこで、実施の形態１のＬＥＤ駆動回路では、信号判定回路２０を設け、信号判定回路２０の判定結果に基づいて、入力された調光信号の種別を判定するようにしている。
【００３４】
図３は、図１に示したＬＥＤ駆動回路の機能を具現する実施の形態１の回路構成の一例を示す図である。図３において、ＬＥＤ駆動回路１０には、電源端子４、外部調光端子６、およびＬＥＤ接続端子である出力端子８が設けられ、電源端子４には外部電源１が接続され、出力端子８にはＬＥＤ群２が接続されている。なお、図３では、ＬＥＤ群２として、複数個のＬＥＤが直列接続された構成を示しているが、複数個である必要はなく１個のＬＥＤであっても構わない。また、複数個のＬＥＤが並列接続された構成でも構わない。
【００３５】
また、図３において、ＬＥＤ駆動回路１０の内部には、図１に示したフィルタ回路１６、コンパレータ回路１８、信号判定回路２０が設けられると共に、信号判定回路２０とフィルタ回路１６との間にはスイッチ回路２２が設けられ、信号判定回路２０とコンパレータ回路１８との間にはバッファ回路２４および三角波・ＤＣ信号生成回路２６がこの順で設けられ、コンパレータ回路１８と出力端子８との間にはダイオード３２、抵抗素子３６、スイッチ回路３８などが設けられている。
【００３６】
なお、図３の構成において、スイッチ回路２２は、フィルタ回路１６の有効／無効を切り替えるフィルタ機能切替手段として機能する。また、三角波・ＤＣ信号生成回路２６は、図１における三角波信号生成回路２６ａ、ＤＣ信号生成回路２６ｂおよび信号切替手段２６ｃの各機能を具現する回路部である。さらに、ダイオード３２、抵抗素子３４，３６、スイッチ回路３８などは、ＬＥＤ駆動回路１０の最終的な出力であるバースト信号をＬＥＤ群２に印加してＬＥＤ群２を調光制御するための回路素子または回路部である。
【００３７】
つぎに、図３に示したＬＥＤ駆動回路１０の動作について説明する。まず、外部調光端子６にＤＣ信号が入力された場合、信号判定回路２０のトランジスタＴｒ１はＯＦＦとなる一方、スイッチ回路２２のトランジスタＴｒ２はＯＮとなるので、フィルタ回路１６のキャパシタＣ１はＧＮＤに接続される。また、このときバッファ回路２４のトランジスタＴｒ３およびトランジスタＴｒ４がＯＦＦするので、三角波・ＤＣ信号生成回路２６は、キャパシタＣ２と抵抗素子Ｒ１の時定数に従う周期の三角波信号を生成する。コンパレータ回路１８には、三角波・ＤＣ信号生成回路２６が生成した三角波信号と、フィルタ回路１６を介して入力された調光信号（この場合ＤＣ信号）とが入力され、ＬＥＤ群２を調光するためのバースト信号が生成される。このバースト信号は、スイッチ回路３８をＯＮ／ＯＦＦすることによってＬＥＤ群２に印加され、ＬＥＤ群２がＰＷＭ駆動される。
【００３８】
また、外部調光端子６にＰＷＭ信号が入力された場合の動作はつぎの通りである。信号判定回路２０は、微分回路の構成を成しているので、ＰＷＭ信号の立ち上がり時および立ち下がり時にトランジスタＴｒ１はＯＮとなるが、信号判定回路２０のキャパシタＣ３と抵抗素子Ｒ２による時定数がＰＷＭ信号の周期よりも大きく設定されているので、キャパシタＣ３の端子電圧は略一定値を維持する。その結果、スイッチ回路２２のトランジスタＴｒ２はＯＦＦとなるので、フィルタ回路１６のキャパシタＣ１はＧＮＤに接続されず、フィルタ回路１６の機能は無効となる。また、このときバッファ回路２４のトランジスタＴｒ３およびトランジスタＴｒ４はＯＮの状態を維持するので、三角波・ＤＣ信号生成回路２６は、抵抗素子Ｒ３，Ｒ４の分圧抵抗に従うＤＣ電圧を入力とするＤＣ信号生成回路として動作する。コンパレータ回路１８には、三角波・ＤＣ信号生成回路２６が生成したＤＣ信号と、フィルタ回路１６を介して入力された調光信号（この場合ＰＷＭ信号）とに基づいてバースト信号が生成される。その後の動作は、ＤＣ信号のときと同様である。
【００３９】
なお、実施の形態１のＬＥＤ駆動回路では、外部調光端子６からＰＷＭ信号が入力された場合、三角波・ＤＣ信号生成回路２６がＤＣ信号を生成するものとして説明してきたが、外部調光端子６からＤＣ信号が入力された場合と同様に、三角波信号を生成して出力してもよい。図４に示すように、三角波信号が基準信号であっても、入力調光信号と同等のバースト信号を生成することができる。
【００４０】
ただし、外部調光端子から入力される調光信号（入力調光信号）がＰＷＭ信号の場合、回路構成によってはコンパレータ回路１８に到達するまでの間に信号波形が鈍る場合がある。この場合、基準信号を三角波信号とすると、入力調光信号であるＰＷＭ信号のデューティ比と、コンパレータ回路１８から出力されるＬＥＤ調光用バースト信号のデューティ比とが微妙に食い違うことがある。したがって、入力調光信号がＰＷＭ信号の場合には、ＤＣ信号を基準信号とする方が好ましい。ＤＣ信号を基準信号とすることにより、入力調光信号に忠実なバースト信号の生成が可能となる。
【００４１】
以上説明したように、実施の形態１のＬＥＤ駆動回路によれば、外部調光端子から入力される調光信号の種別を判定し、その判定結果に基づいてフィルタ回路機能の有効／無効を切り替える構成としたので、個々の調光信号毎に個別に対応する回路部を設ける必要がないという効果が得られる。
【００４２】
また、実施の形態１のＬＥＤ駆動回路によれば、一つの外部調光端子からＰＷＭ信号とＤＣ信号の双方が入力される仕様のＬＥＤ駆動回路であっても、個々の調光信号毎に個別に対応する回路部を設ける必要がないので、回路規模の増大を抑制した回路構成とすることができるという効果が得られる。
【００４３】
また、実施の形態１のＬＥＤ駆動回路によれば、一つの外部調光端子からＰＷＭ信号とＤＣ信号の双方が入力される仕様のＬＥＤ駆動回路であっても、調光信号の種別に応じた好適な回路が選択されるので、何れの調光信号が入力されても、ジッタを低減することができ、調光制御時のちらつきを低減することができるという効果が得られる。
【００４４】
実施の形態２．
図５は、図１に示したＬＥＤ駆動回路の機能を具現する実施の形態２の回路構成の一例を示す図であり、実施の形態１（図３）と同一または同等の部分には同一符号を付して説明を省略する。実施の形態２のＬＥＤ駆動回路では、図５に示すように、ＬＥＤ群２を定電流駆動するためのＤＣ／ＤＣコンバータである昇圧コンバータ１２を有し、昇圧コンバータ１２の出力をＬＥＤ群２に印加する構成としている。また、図５において、昇圧コンバータ１２に具備されるコントローラ３０は、ＬＥＤ群２に流れる電流（以下「ＬＥＤ電流」という）を検出して制御するための制御器である。コントローラ３０のＦ／Ｂ端子は、抵抗素子３６を介してＬＥＤ群２の一端（図５の例でカソード側）に接続されると共に、ダイオード３２を介してコンパレータ回路１８の出力端子にも接続されている。
【００４５】
つぎに、図５に示した実施の形態２にかかるＬＥＤ駆動回路の動作について説明する。コントローラ３０がＬＥＤ電流をモニタしているとき、コントローラ３０のＦ／Ｂ端子に、ある閾値よりも高い電圧が印加されると、ＬＥＤ電流が設定値を超えている状態と同じになるので、コントローラ３０は昇圧コンバータ１２の昇圧動作を停止させる制御を行う。例えば、Ｆ／Ｂ端子に２００Ｈｚ周期のバースト信号（ＰＷＭ信号）を印加すると、ＰＷＭ信号が「Ｈｉ」のときには、ＬＥＤ群２が消灯し、「Ｌｏ」のときにはＬＥＤ群２が点灯する。このように、コンパレータ回路１８の出力であるバースト信号に基づいて昇圧コンバータ１２を動作させることにより、ＬＥＤ群２に対する定電流駆動が可能となる。なお、その他の回路部の動作については、実施の形態１と同様であり、説明を省略する。
【００４６】
このように、実施の形態２のＬＥＤ駆動回路では、ＬＥＤ群に対する調光制御を行う際に、ＬＥＤ電流をモニタし、モニタしたＬＥＤ電流に基づいてＬＥＤ群を定電流駆動するようにしているので、外部調光端子から多様な調光信号が入力される場合であっても、より精度のよい調光制御が可能となる。
【００４７】
また、実施の形態２のＬＥＤ駆動回路によれば、昇圧コンバータによって入力電圧を昇圧することができるので、入力電圧がＬＥＤへの印加電圧よりも低い場合であっても、ＬＥＤ群に対する調光制御が可能となるという効果が得られる。
【００４８】
なお、実施の形態２のＬＥＤ駆動回路では、直流電圧を電源入力とし、入力された直流電圧を昇圧して出力するＤＣ／ＤＣコンバータとしての昇圧コンバータを備える構成について例示したが、この構成に限定されるものではない。例えば、昇圧コンバータの代わりに降圧コンバータにすることも可能であり、交流電圧を電源入力とし、入力された交流電圧を直流電圧に変換して出力するＡＣ／ＤＣコンバータに代替することも可能である。
【００４９】
実施の形態３．
図６は、本発明の実施の形態３にかかるＬＥＤ駆動回路の機能構成を示す図であり、図７は、図６に示したＬＥＤ駆動回路の機能を具現する回路構成の一例を示す図である。図６および図７において、図１および図５と同一または同等の部分には同一符号を付して説明を省略する。実施の形態３のＬＥＤ駆動回路では、図６および図７に示すように、外部調光端子６とフィルタ回路１６との間にバイアス回路１４を備えた構成としている。このバイアス回路１４は、外部調光端子６に可変抵抗素子が接続される信号入力態様に対応するものである。
【００５０】
つぎに、実施の形態３にかかるＬＥＤ駆動回路の動作について図６〜図８の各図面を参照して説明する。なお、図８は、外部調光端子に可変抵抗素子が接続される信号入力態様を説明する図である。
【００５１】
外部調光端子６に可変抵抗素子４６が接続される信号入力態様の場合、図８に示す一例では、バイアス回路１４内の抵抗素子４０，４２，４４の抵抗値と、可変抵抗素子４６の抵抗値との関係で決まる電圧Ｖ1がフィルタ回路１６への入力電圧（ＤＣ電圧）となる。また、可変抵抗素子４６の抵抗値を可変することにより、フィルタ回路１６への入力電圧を可変することができる。なお、その他の回路動作は、実施の形態１，２の回路動作と同等であり、その説明を省略する。
【００５２】
上述したように、実施の形態３のＬＥＤ駆動回路によれば、実施の形態１，２のＬＥＤ駆動回路において、外部調光端子とフィルタ回路との間にバイアス回路を設けることとしたので、実施の形態１，２の効果を有すると共に、当該外部調光端子に可変抵抗素子が接続される信号入力態様にも対応することができるという効果が得られる。
【００５３】
なお、実施の形態３のＬＥＤ駆動回路では、図７に示すように、外部調光端子６とフィルタ回路１６との間にバイアス回路１４を設ける構成例として、図５に示す実施の形態２のＬＥＤ駆動回路に適用する例を開示したが、図２に示す実施の形態１のＬＥＤ駆動回路に適用することも可能であり、実施の形態１，３の効果を得ることができる。
【産業上の利用可能性】
【００５４】
以上のように、本発明にかかるＬＥＤ駆動回路は、多様な調光信号が入力されるＬＥＤ駆動回路において、回路規模の増大を抑制しつつ、調光制御時のちらつきを低減することができる発明として有用である。
【符号の説明】
【００５５】
１  外部電源
２  ＬＥＤ群
４  電源端子
６  外部調光端子
８  出力端子
１０  ＬＥＤ駆動回路
１２  昇圧コンバータ
１４  バイアス回路
１６  フィルタ回路
１８  コンパレータ回路
２０  信号判定回路
２２  スイッチ回路
２４  バッファ回路
２６  三角波・ＤＣ信号生成回路
２６ａ  三角波信号生成回路
２６ｂ  ＤＣ信号生成回路
２６ｃ  信号切替手段
３０  コントローラ
３２  ダイオード
３４，３６，４０，４２，４４，Ｒ１〜Ｒ４  抵抗素子
３８  スイッチ回路
４６  可変抵抗素子
Ｃ１〜Ｃ３  キャパシタ
Ｔｒ１〜Ｔｒ４  トランジスタ
【図１】
2011023207.tif 000003
【図２】
2011023207.tif 000004
【図３】
2011023207.tif 000005
【図４】
2011023207.tif 000006
【図５】
2011023207.tif 000007
【図６】
2011023207.tif 000008
【図７】
2011023207.tif 000009
【図８】
2011023207.tif 000010